(57)【要約】【課題】乳房を寄せ上げる補整効果が高く、装着時のシルエットがすっきりとして美しく、不快感を与える虞のないブラジャーの提供。【解決手段】カップ２の表面側の脇寄りに、上端から下辺に向かって次第に幅広くなり、カップ２と別体の補強布５を重ね、補強布５の下辺をカップ２の下縁に固着すると共に、補強布５の他部分をカップ２と分離し、長さ調節可能な肩ストラップ４の前端を補強布５の上端に係止してある。【選択図】図１
2007154326.tif 000002
【特許請求の範囲】
【請求項１】
カップの表面側の脇寄りに、上端から下辺に向かって次第に幅広くなり、前記カップと別体の補強布を重ね、該補強布の下辺を前記カップの下縁に固着すると共に、前記補強布の他部分を前記カップから分離し、長さ調節可能な肩ストラップの前端を前記補強布の上端に係止したことを特徴とするブラジャー。
【請求項２】
前記補強布の下辺を前記カップの下縁脇寄りに固着した請求項１に記載のブラジャー。
【請求項３】
前記肩ストラップの前部から分岐した補助ストラップを設け、該補助ストラップの先端を前記カップの上端に係止した請求項１又は２に記載のブラジャー。
【発明の詳細な説明】
【技術分野】
【０００１】
本発明は、ブラジャーに関する。
【背景技術】
【０００２】
ブラジャーには乳房を寄せ上げて美しく補整する機能が求められており、一般的はカップの下縁に沿ってワイヤを装着することにより、補整効果を高めていた。
しかし、このように細いワイヤを装着しただけでは、乳房がその重量で脇側下方へ流れるのを確実に防ぐことはできず、あまりに強力なワイヤやボーンをブラジャーに取付けると、肌に当たって不快感を与える虞があった。
【０００３】
そこで、従来、カップの下辺部から外側部、そして上辺部にかけての部分を含むリフト部と、リフト部に連結されるストラップ部とを一体に形成し、ストラップ部を肩紐に取り外し自在としたブラジャーが提案されている(特許文献１参照)。
このブラジャーによれば、ストラップ部に取付けた肩紐の長さを短くすることにより、リフト部を引き上げて乳房を寄せ上げることができる。
しかし、リフト部はカップと一体に形成されているため、リフト部を強く引き上げると、カップの上端も吊り上げられてしまい、乳房を内側へ寄せる力はそれほど期待できなかった。
【０００４】
また、カップの裏面の脇側部に、略三日月状のサポートパネルを重ねて配置し、サポートパネルの外縁をカップに縫合し、内縁をカップと遊離し、アジャスター付の肩紐の前端部をサポートパネルに縫着したブラジャーが公知である(特許文献２及び特許文献３参照)。
このブラジャーによれば、乳房を確実に寄せ上げることはできるが、サポートパネルがカップの裏面に配置されているので、乳房形状を大きく補整すると、カップが乳房から浮いてしまい、外衣を身に付けた時のシルエットが美しくないという欠点がある。
【０００５】
【特許文献１】特開平９−３７０６号公報
【特許文献２】登録実用新案第３１１０５０４号公報
【特許文献３】特開平７−９７７０１号公報
【発明の開示】
【発明が解決しようとする課題】
【０００６】
本発明が解決しようとする課題は、乳房を寄せ上げる補整効果が高く、装着時のシルエットがすっきりとして美しく、不快感を与える虞のないブラジャーを提供することにある。
【課題を解決するための手段】
【０００７】
本発明のブラジャーは、カップの表面側の脇寄りに、上端から下辺に向かって次第に幅広くなり、前記カップと別体の補強布を重ね、該補強布の下辺を前記カップの下縁に固着すると共に、前記補強布の他部分を前記カップから分離し、長さ調節可能な肩ストラップの前端を前記補強布の上端に係止してある。
補強布の下辺を前記カップの下縁脇寄りに固着するのが望ましい。
また、肩ストラップの前部から分岐した補助ストラップを設け、該補助ストラップの先端を前記カップの上端に係止しても良い。
【発明の効果】
【０００８】
本発明によれば、肩ストラップの長さを短くすると、カップと別体の補強布が引き上げられ、カップ及びカップ内に収納された乳房を上方へ引き上げると共に、胸中央部に向けて寄せる力が強く働くので、寄せ上げ効果が高く、ノンワイヤータイプのものであっても乳房部を美しく補整することが可能であり、しかも、カップが乳房から浮いてシルエットを崩す心配も無い。
また、肩ストラップの長さを変えることにより、補強布による寄せ上げ力を好みに応じて調節することができ、寄せ上げ力が面状に加わるので、皮膚に食い込んで不快感を与える心配がない。
【発明を実施するための最良の形態】
【０００９】
以下、ノンワイヤータイプのブラジャーである実施例を図面に基づいて詳細に説明する。図１は、ブラジャーの正面斜視図、図２は、ブラジャーの要部拡大斜視図である。
ブラジャーは、図１に示すように、土台布１と、土台布１に取付けた左右のカップ２と、土台布１及びカップ２の両側に装着された背部バンド３と、左右の肩ストラップ４と、カップ２の表面側に重ねた別体の補強布５とを備える。
土台布１、カップ２及び背部バンド３は、通常のブラジャーとほぼ同じ構造を有するがノンワイヤータイプなのでカップ２の下縁にワイヤーを配設していない。
【００１０】
補強布５は、強靭な布を素材とし、伸縮性はあっても無くても良いが、僅かな力で簡単に伸びてしまうものは好ましくない。
また、補強布５は、その脇寄り縁がカップ２の脇寄り縁とほぼ一致し、逆側縁がカップ２の中央部に対して凹に湾曲し、上端から下辺に向かって次第に幅広くなる形状としてある。
補強布５の下辺は、カップ２の下縁の形状に沿う弧状に形成され、カップ２の下縁と同じ長さでも、短くても良いが、望ましくは、脇寄り端部から中央部よりやや内側に達する長さとする。
そして、補強布５をカップ２の表面側の脇寄りに重ね、補強布５の下辺をカップ２と共に土台布１に固定する。即ち、補強布５は下辺のみがカップ２の下縁脇寄りに固着され、他の部分はカップ２から分離している。
【００１１】
肩ストラップ４は、通常のブラジャーの肩ストラップと同じ素材より成り、その後端は背部バンド３の上端に係止され、前端は補強布５の上端に係止される。
また、肩ストラップ４の前端寄りから補助ストラップ６が分岐され、補助ストラップ６の先端はカップ２の上端に係止されている。
なお、肩ストラップ４及び補助ストラップ６は、ループ、フック等の従来周知の係止具７を介して、或いは、縫着により背部バンド３、補強布５及びカップ２に係止されている。
【００１２】
肩ストラップ４の後端寄り、及び、補助ストラップ６との分岐部よりも前方にはそれぞれアジャスター８が設けられ、肩ストラップ４の長さを調節できるようになっている。
アジャスター８は、図２に示すように、角枠の中央に横棒を架設したタイプのものであって、肩ストラップ４を角枠へ摺動自在に挿通し、さらに係止具７に通して折り返し、折り返した先端を横棒に取付けてある。従って、肩ストラップ４の折り返し部分の長さを変えることにより、肩ストラップ４の長さを無段階で変更することができる。
【００１３】
補助ストラップ６との分岐部よりも前方に位置するアジャスター８を操作して、肩ストラップ４の前部の長さを補助ストラップ６の長さよりも長くした場合には、補強布５による引き上げ効果は働かず、通常のブラジャーと同程度の寄せ上げ効果しか発揮できない。
一方、肩ストラップ４の前部を補助ストラップ６よりも短くすると、補強布５が引き上げられて、補強布５の下辺と下縁が固着されているカップ２も引き上げられる。同時に、カップ２の湾曲した下縁脇寄りが、補強布５に加わる引き上げ力によって内側へ引っ張られる。
この時、カップ２の上端は補強布５と共に肩ストラップ４によって引き上げられないので、カップ２全体が内側へ寄る。この結果、カップ２に収納された乳房は寄せ上げられて美しく補整される。
なお、肩ストラップ４の前部の長さを短くするほど寄せ上げ効果が強まり、肩ストラップ４の前部を長くするほど、寄せ上げ効果は弱まる。
【００１４】
本考案のブラジャーの構成は、上記実施例に限定されない。
例えば、カップ２の下縁に沿ってワイヤーを配設したワイヤー入りブラジャーとすることも可能であり、肩ストラップ４と補助ストラップ６とが重なってもたつかないように、補助ストラップ６を省くこともできる。
また、複数の雌側留め具と、これに着脱自在に係止されるフックとから成るアジャスターを用い、肩ストラップ４を分割して、分割した端部の一方に雌側留め具を適宜間隔ごとに装着すると共に、他方にフックを装着し、フックを異なる雌側留め具へ係止することにより、肩ストラップ４の長さを段階的に変えることができるようにしても良い。
さらに、カップ２がある程度の剛性を有するか、或いは、カップ２の下縁に沿って補強帯を装着すると、補強布５を引き上げた時の引き寄せ効果が高まる。
【図面の簡単な説明】
【００１５】
【図１】本発明の実施例を示すブラジャーの斜視図。
【図２】本発明の実施例を示すブラジャーの要部拡大斜視図。
【符号の説明】
【００１６】
１  土台布
２  カップ
３  背部ベルト
４  肩ストラップ
５  補強布
６  補助ストラップ
７  係止具
８  アジャスター
【図１】
2007154326.tif 000003
【図２】
2007154326.tif 000004